(57)【要約】【課題】圧縮機の振動を効果的に減衰させることができる空気調和機の室外機を提供することを目的とする。【解決手段】筐体と、筐体内に設けられ、駆動モータによって駆動される冷媒を圧縮する圧縮機構を備えた圧縮機２と、圧縮機２の上部に接続され、この圧縮機２から吐出された冷媒が流れる吐出配管９と、を備えた空気調和機の室外機において、この圧縮機２は、圧縮機２の高さ方向における中央位置から上方に固定される圧縮機側固定端部７と、筐体底部５に固定される底部側固定端部８とを有する支持体によって支持されること特徴とする。【選択図】図２
2010209898.tif 000002
【特許請求の範囲】
【請求項１】
筐体と、
該筐体内に設けられ、駆動モータによって駆動される冷媒を圧縮する圧縮機構を備えた圧縮機と、
該圧縮機の上部に接続され、該圧縮機から吐出された冷媒が流れる吐出配管と、
を備えた空気調和機の室外機において、
前記圧縮機は、該圧縮機の高さ方向における略中央位置から上方に固定される圧縮機側固定端部と、前記筐体の底部に固定される底部側固定端部とを有する支持体によって支持されること特徴とする空気調和機の室外機。
【請求項２】
前記支持体は、前記圧縮機側固定端部と前記底部側固定端部とを有する支持脚を３つ備え、
これら３つの支持脚は、前記圧縮機を平面視した場合に、該圧縮機の周りに略均等に配置されていることを特徴とする請求項１に記載の空気調和機の室外機。
【請求項３】
前記圧縮機側固定端部と前記圧縮機との間には、減衰部材が設けられていることを特徴とする請求項１又は請求項２に記載の空気調和機の室外機。
【発明の詳細な説明】
【技術分野】
【０００１】
本発明は、空気調和機の室外機に関し、特に、空気調和機の室外機の筐体内に設けられた圧縮機の取付構造に関するものである。
【背景技術】
【０００２】
一般に、空気調和機の室外機は、筐体内に、室外熱交換器、圧縮機、ファンモータ、室外ファン等を備えている。圧縮機には、冷媒を圧縮する圧縮機構を駆動する駆動モータが内蔵されており、この駆動モータが振動源となっている。また、圧縮機の上部には、圧縮された冷媒を吐出する吐出配管が接続されているため、圧縮機が振動すると、吐出配管に振動が伝達され、吐出配管に応力が発生してしまい、また、配管を変位させてしまう。
【０００３】
このような問題に対して、特許文献１には、圧縮機と筐体とを減衰ゴムを介して取付具によって固定する取付構造が開示されている。特許文献２には、中間基板に圧縮機を挿入し取付具によって固定して、中間基板と筐体とをその筐体を支持する回転脚と支持具に取付けて、その回転脚を天井や床に設置する取付構造が開示されている。特許文献３には、支持部材の形状が弾性を有することによって圧縮機の振動の伝播を減衰し、筐体全体の振動を抑制する発明が開示されている。
【先行技術文献】
【特許文献】
【０００４】
【特許文献１】実開昭６１−１０４１５８号公報
【特許文献２】特開平６−８２０６４号公報
【特許文献３】実開昭６１−１７８１６１号公報
【発明の概要】
【発明が解決しようとする課題】
【０００５】
しかし、特許文献２に記載の発明では、筐体と圧縮機を固定する支持部材である中間基板を、取付具を用いて圧縮機に固定し、中間基板の左右端を筐体側面に筐体と共に筐体を支持する回転脚と支持具に取付けてその回転脚を天井や床に設置する構造であるため、圧縮機の振動が筐体全体に伝播してしまうという問題があった。また、特許文献３に記載の発明では、筐体と圧縮機を固定する支持部材の形状をＳ字形とし、上面の中央部に圧縮機を挿入し固定する構造となっており、支持部材の構造が複雑となるという問題があった。
【０００６】
本発明は、上記課題に鑑み、圧縮機の振動を効果的に減衰させることができる空気調和機の室外機を提供することを目的とする。
【課題を解決するための手段】
【０００７】
そこで、上記課題を解決するために、本発明の空気調和機の室外機は、以下の手段を採用する。
【０００８】
すなわち、本発明の空気調和機の室外機は、筐体と、該筐体内に設けられ、駆動モータによって駆動される冷媒を圧縮する圧縮機構を備えた圧縮機と、該圧縮機の上部に接続され、該圧縮機から吐出された冷媒が流れる吐出配管と、を備えた空気調和機の室外機において、前記圧縮機は、該圧縮機の高さ方向における略中央位置から上方に固定される圧縮機側固定端部と、前記筐体の底部に固定される底部側固定端部とを有する支持体によって支持されること特徴とする。
【０００９】
本発明によれば、駆動モータにより冷媒を圧縮する時に生じる圧縮機の振動は、支持体の圧縮機側固定端部から底部側固定端部を介して、筐体の底部へと導かれる。従って、圧縮機の振動が筐体の側板に伝達されて筐体の振動を引き起こすことを防止できる。
通常、室外機は地面や床上に設置されるので、筐体の底部へと導かれた振動は地面や床に吸収される。
【００１０】
また、支持体は、圧縮機側固定端部と底部側固定端部によって構成されるので、構造が単純であり、組み立て工数が少なくなる。従って、省力化、簡素化を図ることができる。
【００１１】
また、支持体は、圧縮機の高さ方向における中央位置から上方の圧縮機側固定端部において圧縮機と固定されるので、圧縮機の上部における振動を効果的に減衰する。従って、圧縮機の上部に接続された吐出配管に生じる変位変動や応力を抑えることができる。
【００１２】
さらに、本発明の空気調和機の室外機によれば、前記支持体は、前記圧縮機側固定端部と前記底部側固定端部とを有する支持脚を３つ備え、これら３つの支持脚は、前記圧縮機を平面視した場合に、該圧縮機の周りに略均等に配置されていることを特徴とする。
【００１３】
支持体は、３つの支持脚によって構成されるので、設置に多くの場所を必要としない。従って、室外機内の空間を有効に利用できる。
【００１４】
また、３つの支持脚は、圧縮機を平面視した場合に、圧縮機の周りに均等に配置される。従って、圧縮機を安定して支持することができる。
【００１５】
さらに、本発明の空気調和機の室外機によれば、前記圧縮機側固定端部と前記圧縮機との間には、減衰部材が設けられていることを特徴とする。
【００１６】
圧縮機は、振動源である圧縮機の近傍で減衰部材を介して圧縮機側固定端部と固定されるので、圧縮機全体の振動を減衰する。従って、圧縮機の上部に接続された吐出配管に生じる変位変動や応力を抑制することができる。
【発明の効果】
【００１７】
本発明によると、支持体は、圧縮機の振動を圧縮機側固定端部から底部側固定端部を介して筐体の底部へと導く。従って、筐体の振動を引き起こすことを防止することができる。
【図面の簡単な説明】
【００１８】
【図１】本発明の空気調和機の室外機の一実施形態を示した室外機の斜視図である。
【図２】図１に示した室外機内に設けられた圧縮機の取付構造を示した斜視図である。
【図３】図２に示した圧縮機の取付構造を示した分解斜視図である。
【発明を実施するための形態】
【００１９】
以下に、本発明にかかる実施形態について、図面を参照して説明する。
図１には、本発明の一実施形態にかかる空気調和機の室外機の斜視図が示されている。
【００２０】
室外機１は、室内機（図示せず）に対して冷媒配管を介して接続されており、横長の直方体形状の筐体１を備えている。この筐体１内には、駆動モータにより冷媒を圧縮する圧縮機２、室外熱交換器３、ファンモータ（図示せず）、室外ファン４等が設けられている。
【００２１】
筐体１内には、支持体を介して圧縮機２が筐体１の底部に固定され、室外熱交換器３が筐体１の背面部に設置されている。ファンモータは筐体１の背面部に螺子で固定され、そのファンモータの駆動軸を延長した端部には室外ファン４が固定されている。
【００２２】
圧縮機２内には、上部に設けられ、冷媒を圧縮するための圧縮機構と、この圧縮機構を駆動するファンモータとが設けられている。圧縮機構としては、例えばスクロール型圧縮機構が用いられる。ファンモータは、圧縮機構の下方に設けられる。ファンモータとしては、電動モータが好適に用いられる。このファンモータが、圧縮機２の主たる振動源となる。
【００２３】
図２には、室外機内に設けられた圧縮機の取付構造の斜視図が示されている。
圧縮機２の上部には、圧縮機２から吐出された冷媒を流すための吐出配管９が接続されている。また、圧縮機２は、圧縮機２の側周面に対して溶接によって固定された圧縮機側固定具１０を有している。
【００２４】
支持体は、圧縮機２の高さ方向における中央位置から上方に設けた圧縮機側固定端部７と底部側固定端部８とを有する支持脚６によって構成される。圧縮機側固定端部７は、圧縮機側固定具１０に対して取付ボルト１１及び取付ナット１２によって固定される。底部側固定端部８は、筐体底部５に対して取付ボルト１１及び取付ナット１２によって固定される。
【００２５】
圧縮機側固定端部７と圧縮機側固定具１０は、圧縮機２の高さ方向における中央位置から上方で接続されるので、圧縮機側固定端部７から吐出配管９までの距離が短く設定されている。
【００２６】
また、圧縮機側固定端部７と圧縮機側固定具１０は、圧縮機２によって発生する振動を防止する減衰部材１３を介して取付ボルト１１と取付ナット１２によって固定される。
【００２７】
３つの支持脚６は、圧縮機側固定具１０から筐体底部５に向かって垂直下または下広がりになるように角度をつけて接続される。なお、この支持脚６を接続する接続角度は、圧縮機２の高さ方向の軸から下広がりに０°以上４５°以下を許容範囲とし、３０°を標準とする。本実施形態では、支持脚６が圧縮機側固体具１０から筐体底部５に向けて下広がりに角度を持って接続されているので、支持体の剛性が増加し、圧縮機２を一層安定して支持することができる。
【００２８】
図３には、圧縮機の取付構造の分解斜視図が示されている。
３つの支持脚６には、長方形の鋼材が用いられる。支持脚６の両端は、圧縮機２から筐体底部５に向かって接続する支持脚６の接続角度に応じて直角または適切な角度に折り返した折り返し部である圧縮機側固定端部７と底部側固定端部８を有している。それら圧縮機側固定端部７と底部側固定端部８には、各々取付孔１４が設けられている。
【００２９】
圧縮機側固定具１０は、その切断面がＬ字型をした２つのフランジ部（１０ａ，１０ｂ）を有したＬ鋼材が用いられており、圧縮機２の側周面に沿うリング形状をしている。また、圧縮機側固定具１０の圧縮機２の側周面と接するフランジ部１０ａは、圧縮機２と溶接によって固定される。さらに、圧縮機側固定具１０の他方のフランジ部１０ｂには、圧縮機２を平面視した場合に、圧縮機２の周りに均等になるように配された３つの取付孔１４が設けられる。
【００３０】
以上の通り、本実施形態の空気調和機の室外機によれば、以下の効果を奏する。
冷媒を圧縮する時に生じる圧縮機２の振動は、圧縮機２に溶接によって固定された圧縮機側固定具１０から圧縮機側固定端部７、底部側固定端部８を介して、筐体の底部５へと導かれるので、圧縮機２の振動が筐体の側板に伝達されて筐体の振動を引き起こすことを防止できる。
【００３１】
また、圧縮機２は、圧縮機２の高さ方向における中央位置から上方の側周面に圧縮機側固定具１０が溶接によって固定され、減衰部材１３を介して圧縮機側固定具１０と支持体が固定されるので、圧縮機２の上部における振動を効果的に減衰する。従って、圧縮機２の上部に接続された吐出配管９に生じる変位変動や応力を抑制することができる。
【００３２】
また、支持体は、圧縮機側固定端部７と底部側固定端部８と支持脚６とから構成される単純な構造であり、組み立て工数が少なくなるため、省力化、簡素化を図ることができる。さらに、支持脚６は、圧縮機２の周りに均等に配置されるので、圧縮機２を安定して支持することができる。
【００３３】
なお、本実施形態では、支持体として３つの支持脚６を用いて説明したが、本発明はこれに限定されるものではなく、支持脚６を４つ以上としても良い。また、本実施形態では、圧縮機側固定具１０として切断面がＬ字型のＬ鋼材を用いて説明したが、本発明はこれに限定されるものではなく、圧縮機２の側周面を加工して圧縮機側固定端部７を固定しても良い。
【符号の説明】
【００３４】
１  室外機
２  圧縮機
５  筐体底部
７  圧縮機側固定端部
８  底部側固定端部
９  吐出配管
【図１】
2010209898.tif 000003
【図２】
2010209898.tif 000004
【図３】
2010209898.tif 000005